(57)【要約】【課題】  作業者がパイプ部を左右に振り動かすとき、パイプ部を重く感じることがなく、さらに屈曲部が必要以上に折れ曲がらず、収納部からパイプ部に向けて微粒状物が円滑に流れる微粒状物散布器を提供すること。【解決手段】  農耕地に農薬等の微粒状物を散布する微粒状物散布器において、微粒状物を収める収納部１０と、収納部１０に基端が連結されたパイプ部２０と、パイプ部２０の先端に練通して設けられたノズル３０とを備え、収納部１０には、作業者が収納部１０を背負って装備するためのストラップ６０と、収納部１０を背負った作業者の前方でノズル３０を吊り下げ支持するための紐状体としてロープ８０およびバネ８１が設けられ、この紐状体は、一端をノズル３０の先端に固定されている。【選択図】  図１
2005245213.tif 000002
【特許請求の範囲】
【請求項１】
農耕地に農薬等の微粒状物を散布する微粒状物散布器であって、
前記微粒状物を収める収納部と、
前記収納部に基端が連結されたパイプ部と、
前記パイプ部の先端に練通して設けられたノズルとを備え、
前記収納部には、作業者がこの収納部を背負って装備するための保持部材と、
前記収納部を背負った作業者の前方で前記ノズルを吊り下げ支持するための紐状体が設けられ、
前記紐状体は、一端を前記ノズルの先端に固定されている
ことを特徴とする微粒状物散布器。
【発明の詳細な説明】
【技術分野】
【０００１】
本発明は、農耕地等に微粒状物を散布するための微粒状物散布器に関する。
【背景技術】
【０００２】
粒径の小さな（０．１ｍｍ程度）、微粒状と称される農薬の散布器具としては、下記の特許文献１に記載された微粒状物散布器がある。この微粒状物散布器においては、作業者が微粒状物を収めた収納部を背負い、ハンドルを握ってノズルを農耕地に向け、パイプ部を左右に振り動かすと、微粒状物がパイプ部を通じてノズルに流れ込み、農耕地にむら無く散布される。
【特許文献１】特開平９−４７２０７号公報
【発明の開示】
【発明が解決しようとする課題】
【０００３】
上記の特許文献１に記載された微粒状物散布器においては、作業者がパイプ部を左右に振り動かすとき、微粒状物が流れ込むためにパイプ部が重くなり、パイプ部を左右に振る動作が行い難くなって、散布作業を長く続けられないという問題がある。
また、パイプ部が重く感じられるため、作業者はパイプ部を上に持ち上げようとする力を無意識に強く込めてしまいがちになる。この結果、ジャバラ状の屈曲部が必要以上に折れ曲がり、収納部からパイプ部に向けて微粒状物が流れ難くなって散布作業を円滑に行えない可能性がある。
【０００４】
本発明は上記の事情に鑑みてなされたものであり、作業者がパイプ部を左右に振り動かすとき、パイプ部を重く感じることがなく、さらに屈曲部が必要以上に折れ曲がらず、収納部からパイプ部に向けて微粒状物が円滑に流れる微粒状物散布器を提供することを目的としている。
【課題を解決するための手段】
【０００５】
上記の課題を解決するための手段として、次のような構成のを採用する。
すなわち本発明の微粒状物散布器は、農耕地に農薬等の微粒状物を散布する微粒状物散布器であって、前記微粒状物を収める収納部と、前記収納部に基端が連結されたパイプ部と、前記パイプ部の先端に練通して設けられたノズルとを備え、前記収納部には、作業者がこの収納部を背負って装備するための保持部材と、前記収納部を背負った作業者の前方で前記ノズルを吊り下げ支持するための紐状体が設けられ、前記紐状体は、一端を前記ノズルの先端に固定されていることを特徴とする。
【０００６】
本発明においては、ノズルを吊り下げ支持するための紐状体の一端が、ノズルの先端に固定されているので、従来に比べて、ノズルを含むパイプ部を前方に傾転させようとするモーメントが低減される。詳述すると、従来、すなわち上記特許文献１記載の微粒状物散布器においては、紐状体の一端が、パイプ部とノズルとの接合部分に固定されているので、ノズルに作用する重力が、紐状体を固定されたパイプ部とノズルとの接合部分を支点として上記のようなノズルを含むパイプ部を前方に傾転させようとするモーメントを発生する。作業者は、パイプ部とノズルとを両手で持ち上げるだけでなく、上記モーメントを打ち消すように余計な力を加えなければならず、結果的にパイプ部を左右に振る動作が行い難くなったり、パイプ部が重く感じられたりするようになる。
本発明では、ノズルを吊り下げ支持するための紐状体の一端が、ノズルの先端に固定されているので、紐状体がノズルに作用する重力の反力を生じ、パイプ部とノズルとの接合部分を支点とするモーメントを生じさせない。したがって、作業者は、パイプ部とノズルとを両手で持ち上げるだけで、その他に余計な力を加えなくてもよいので、パイプ部を左右に振る動作が行い易くなる。また、パイプ部が重く感じられることもなくなるので、作業者はパイプ部を上に持ち上げようとする力を強く込めなくなる。この結果、ジャバラ状の屈曲部が必要以上に折れ曲がることもなく、収納部からパイプ部に向けて微粒状物が滞ることなく流れる。
【発明の効果】
【０００７】
本発明によれば、作業者がパイプ部を左右に振り動かすとき、パイプ部を重く感じることがないので、散布作業を長く続けることができる。さらに屈曲部が必要以上に折れ曲がらず、収納部からパイプ部に向けて微粒状物が滞ることなく流れるので、散布作業を円滑に行うことができる。
【発明を実施するための最良の形態】
【０００８】
本発明の微粒状物散布器の実施の形態を図１ないし図４に示して詳細に説明する。
図１に示す微粒状物散布器は、微粒状物を収める収納部１０と、この収納部１０に連結されたパイプ部２０と、パイプ部２０に連続して設けられたノズル３０とを備えている。
収納部１０は、折りたたみ式の外枠４０と、外枠４０の内側に配されて内部に粉粒状物を収納する袋体５０と、収納部１０を背負うときに両肩に掛ける一対のストラップ６０，６０（保持部材）とからなる。
外枠４０は、金属製のパイプの２箇所を屈曲させて平面視コ字型に加工されたフレーム４１，４２が組み合わされたものである。双方のフレーム４１，４２は、軸部材４３を中心としてお互いに回動して開閉可能であり、図示したように開いた状態にして地上に立てたり、閉じた状態にして嵩を小さくしたりすることが可能である。
【０００９】
袋体５０は、断裂に強い織布を、開口部５１を有する底の深い袋状に縫合したもので、袋体５０の底に近い側面にはゴム製のジャバラ５２を介してパイプ部２０が袋体５０の内側に連通状態に取り付けられている。袋体５０の開口部５１脇には、開口部５１を閉じるための蓋布５３が縫い付けられている。
【００１０】
ストラップ６０は、一方のフレーム４１に固定された連結部材４４と、他方のフレーム４２の２つの下端とに端部をそれぞれ取り付けられている。また、ストラップ６０には厚みのある柔らかな肩当て６１が付けられている。
連結部材４４には、ナイロン製のロープ８０の一端が取り付けられており、このロープ８０の他端はノズル３０の先端上部に取り付けられている。ロープ８０は長さの調節が可能であり、しかもノズル３０側には伸縮可能なバネ８１が設けられている（ロープ８０とバネ８１とを合わせて紐状体とする。なお、本発明の紐状体は、ロープ８０とバネ８１との組み合わせに限定されず、ロープだけであってもよい）。
【００１１】
パイプ部２０は、長手方向の途中位置で２つに分割されており、収納部１０側の筒体２１がノズル３０側の筒体２２の内側に滑り込むようにして長さを調節することが可能である。筒体２２の先端にはリング２３が固定され、このリング２３に筒体２２の内側に向けて螺入されるネジ２４が設けられており、パイプ部２０の長さを調節する場合には、ネジ２４を緩めて筒体２１，２２の相対位置を変化させ、パイプ部２０を所望の長さに合わせてからネジ２４を締め込み固定する。
【００１２】
パイプ部２０の基端近傍には、パイプ部２０を左右に振り動かして操作するハンドル２５が、一対のブラケット２６，２６を介して取り付けられている。ハンドル２５は、図２に示すように、両端２箇所をそれぞれ屈曲されており、一方の端部２５ａを収納部１０側の筒体２１と平行に配し、それらを挟むようにして両側からブラケット２６，２６が配され、両ブラケット２６，２６にネジ２７を締め込むことでパイプ部２０に固定されている。
【００１３】
ノズル３０は、図３に示すように、パイプ部２０の先端に連設された管状部３１と、この管状部３１から下方に向けて垂設されたスカート３２と、管状部３１の下面に複数配設された流出孔３３と、これら流出孔３３の開口面積を変化させて流れ出る微粒状物の量を調節する流量調節機構７０とを備えている。
【００１４】
管状部３１は、パイプ部２０の先端に連設され、パイプ部２０を下向きに傾けて使用するとき農耕地に対して略水平に相対するように屈曲状態に固定されており、しかも先端３１ａは閉じられている。スカート３２は、管状部３１の両側面から下方、すなわち農耕地に向けて垂設されて下辺部３２ａが管状部３１に対して平行となっている。流出孔３３の形状は矩形であり、対向する２辺を管状部３１の長さ方向に向け、等間隔に配置されている。各流出孔３３の大きさはすべて同じである。
【００１５】
流量調節機構７０は、流出孔３３を覆って管状部３１に密接状態に配されかつ管状部３１の長さ方向に沿って摺動可能に支持されたプレート７１と、管状部３１とプレート７１との相対位置を段階的に変化させる調節ツマミ７３と、プレート７１に固定されてプレート７１とともに移動し、調節ツマミ７３に押し当てられるストッパ７４とを備えている（流量調節機構７０のより詳細な構造、ならびに流量調節の仕方については、特開平９−４７２０７号公報を参照）。
【００１６】
上記のように構成された微粒状物散布器の使用に際しては、微粒状物を収めた収納部１０を背負い、一方の手でパイプ部２０を握り、他方の手でハンドル２１を握ってハンドル２１を握ってノズル３０を農耕地に向ける。微粒状物はパイプ部２０を通ってノズル３０に流入し、流出孔３３から農耕地に向けて流下するので、パイプ部２０を左右に振り動かすと微粒状物は農耕地Ｇに扇状に散布される。
【００１７】
このとき、収納部１０から紐状体によって吊下げ支持されたノズル３０を農耕地に対して一定の高さに保って略水平に相対させ、スカート３２で農耕地をなでるようにしてノズル３０を扱うことにより、ノズル３０から流れ出る微粒状物が農耕地にほぼ同じ高さから落下する。さらに、ノズル３０を左右に振り動かして操作することによって、ノズル３０から流れ出す微粒状物は後方になびき、スカート３２に当って拡散する。このときスカート３２は流れ出す微粒状物の風避けとなって微粒状物の飛散を防止する役目を果す。このようにして、微粒状物を農耕地に満遍なく均一に散布することができる。
【００１８】
上記の微粒状物散布器においては、紐状体を構成するバネ８１の一端が、ノズル３０の先端に固定されているので、従来に比べて、ノズル３０を含むパイプ部２０を前方に傾転させようとするモーメントが低減される。
つまり、従来の微粒状物散布器であれば、図４（ａ）に示すように、作業者はパイプ部とノズルとに作用する重力Ｆ１，Ｆ２に逆らってこれらを両手で持ち上げる力を加え、さらにノズルを含むパイプ部を前方に傾転させようとするモーメントＭを打ち消すように余計な力を加えなければならず、結果的にパイプ部を左右に振る動作が行い難くなったり、パイプ部が重く感じられたりするようになる。
上記の微粒状物散布器においては、図４（ｂ）に示すように、ロープ８０とバネ８１とからなる紐状体が、ノズル３０に作用する重力の反力を生じ、パイプ部２０とノズル３０との接合部分を支点とするモーメント（図４（ａ）のＭ）を生じさせない。したがって、作業者は、パイプ部２０とノズル３０とを両手で持ち上げるだけで、その他に余計な力を加えなくてもよいので、パイプ部２０を左右に振る動作が行い易くなる。また、パイプ部２０が重く感じられることもなくなるので、作業者はパイプ部２０を上に持ち上げようとする力を強く込めなくなる。この結果、ジャバラ５２が必要以上に折れ曲がることもなく、収納部１０からパイプ部２０に向けて微粒状物が滞ることなく流れる。
【図面の簡単な説明】
【００１９】
【図１】本発明の微粒状物散布器の実施の形態を示す斜視図である。
【図２】パイプ部に取り付けたハンドルを示す斜視図である。
【図３】ノズルの側断面図である。
【図４】従来と本発明とで、パイプ部およびノズルに作用する力またはモーメントを比較した状態説明図である。
【符号の説明】
【００２０】
１０      収納部
２０      パイプ部
２５      ハンドル
２６      ブラケット
２７      ネジ
３０      ノズル
６０      ストラップ
８０      ロープ
８１      バネ
【図１】
2005245213.tif 000003
【図２】
2005245213.tif 000004
【図３】
2005245213.tif 000005
【図４】
2005245213.tif 000006